【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
アイテム（１１）の生産を前記各アイテム上に備わる管理データを用いて生産ラインで管理する方法であって、前記管理データが、符号化された識別データおよび銘柄パターンを含み、前記符号化された識別データが、関連製品タイプ識別情報と関連アイテム識別情報とに対応するデータを含む方法において、
前記生産ラインでアイテム上の符号化された識別データを読み出し、復号して、対応する関連製品タイプ識別情報および関連アイテム識別情報を得るステップと
を含み、
前記生産ラインで前記アイテムを計数して計数データを得るステップと、
前記生産ラインでそれぞれの前記アイテムのデジタル画像（１８）を取得するステップと、
前記取得されたデジタル画像において銘柄パターンを検出し、前記検出された銘柄パターンに対応する製品タイプを識別して、識別された製品タイプデータを得るステップと、
前記取得されたデジタル画像において前記アイテムを識別して、識別されたアイテムデータを得るステップと、
前記識別された製品タイプデータおよび前記識別されたアイテムデータが、前記対応する関連製品タイプ識別情報および関連アイテム識別情報と整合するかどうかを確認するステップと、
整合する場合に、前記計数データと、前記製品タイプ識別情報と、前記アイテム識別情報とから、製品タイプごとおよび関連アイテムごとの生産量を求めるステップと
をさらに含む方法。
【請求項２】
前記識別された製品タイプデータおよび前記識別されたアイテムデータのいずれかが、前記対応する関連製品タイプ識別情報および関連アイテム識別情報と整合しない場合に、対応する識別エラー情報が出される請求項１に記載の方法。
【請求項３】
前記取得されたデジタル画像が、前記アイテムの見かけ上の輪郭内にある管理領域に制限される請求項１または２に記載の方法。
【請求項４】
前記識別された製品タイプデータと前記識別されたアイテムデータとに対応するデータを含む符号化された追跡データを、前記アイテムに含めるステップをさらに含む請求項１ないし３のいずれかに記載の方法。
【請求項５】
前記符号化された追跡データが、前記符号化された識別データをさらに含む請求項４に記載の方法。
【請求項６】
前記符号化された追跡データが、生産日、ライン識別、および製造者識別のうちの少なくとも１つに対応するデータをさらに含む請求項４または５に記載の方法。
【請求項７】
製品タイプと、生産日、ライン識別、および製造者識別のうちの少なくとも１つとに対応するデータを含む符号化された追跡データを、前記アイテムに含めるステップをさらに含む請求項１ないし３のいずれかに記載の方法。
【請求項８】
前記符号化された追跡データが、前記符号化された識別データをさらに含む請求項７に記載の方法。
【請求項９】
符号化された追跡データが前記アイテム上に備わり、生産日、ライン識別、および製造者識別のうちの少なくとも１つに対応するデータを含む請求項１ないし３のいずれかに記載の方法。
【請求項１０】
前記アイテム上の前記符号化された追跡データを読み出し、復号して、対応する追跡情報を得るステップ
をさらに含む請求項６ないし９のいずれか１項に記載の方法。
【請求項１１】
前記符号化された追跡データが、前記アイテムに印刷されたデータマトリクスに含まれる請求項４ないし１０のいずれかに記載の方法。
【請求項１２】
各製品タイプおよび各アイテムと、前記生産日、ライン識別、および製造者識別のうちの少なくとも１つと、に対応する生産量を示すファイルレポートを、前記製品タイプごとおよび関連アイテムごとの生産量と、前記追跡情報とに基づいて作成するさらなるステップを前記方法が含む請求項６ないし１１のいずれかに記載の方法。
【請求項１３】
前記アイテム上の前記符号化された追跡データの可読性を確認するステップと、読み取りエラーが検出された場合にエラーメッセージを前記ファイルレポートに含めるステップとを含む請求項１２に記載の方法。
【請求項１４】
前記アイテムが、材料ベースのセキュリティ要素をさらに備え、前記方法が、前記材料ベースのセキュリティ要素を認証するさらなるステップを含む請求項１ないし１３のいずれか１項に記載の方法。
【請求項１５】
材料ベースのセキュリティ要素を前記アイテムに付けるステップを含み、前記符号化された追跡データが、前記材料ベースのセキュリティ要素によって担持される請求項４ないし１４のいずれかに記載の方法。
【請求項１６】
前記材料ベースのセキュリティ要素を認証するステップをさらに含む請求項１５に記載の方法。
【請求項１７】
前記材料ベースのセキュリティ要素が認証されない場合に、対応する認証エラー情報が出される請求項１４または１６に記載の方法。
【請求項１８】
アイテムの生産を前記各アイテム上に備わる管理データを用いて生産ラインで管理する管理システムであって、前記管理データが、符号化された識別データおよび銘柄パターンを含み、前記符号化された識別データが、関連製品タイプ識別情報と関連アイテム識別情報とに対応するデータを含む管理システムにおいて、
前記生産ラインでアイテム（１１）上の符号化された識別データを読み出し、復号して、対応する関連製品タイプ識別情報および関連アイテム識別情報を得て、前記得られた関連製品タイプ識別情報および関連アイテム識別情報を送信するように動作可能な第１の読取部（２１）と、
前記第１の読取部から関連製品タイプ識別情報および関連アイテム識別情報を受信するように動作可能な制御ユニット（１６）と
を備え、
前記生産ラインで前記アイテムを計数して計数データを得、前記得られた計数データを送信するように動作可能な計数ユニット（２０）と、
前記生産ラインで前記アイテム（１１）のデジタル画像（１８）を取得して、前記デジタル画像を送信するように動作可能な撮像ユニット（１０）と、
画像処理ユニット（１３）であって、
前記撮像ユニットから前記デジタル画像を受信し、前記受信されたデジタル画像において銘柄パターンを検出し、前記検出された銘柄パターンに対応する製品タイプを識別して、識別された製品タイプデータを得、
前記受信されたデジタル画像において前記アイテムを識別して、識別されたアイテムデータを得、
前記得られた識別された製品タイプデータおよび識別されたアイテムデータを前記制御ユニットに送信する
ように動作可能な画像処理ユニットと
をさらに備え、前記制御ユニット（１６）が、
前記計数ユニットから計数データを受信し、
前記識別された製品タイプデータおよび前記識別されたアイテムデータを前記画像処理ユニットから受信し、
前記受信された識別された製品タイプデータおよび識別されたアイテムデータが、前記対応する受信された関連製品タイプ識別情報および関連アイテム識別情報と整合するかどうかを確認し、
整合する場合に、前記受信された計数データと、前記製品タイプ識別情報と、前記アイテム識別情報とから、製品タイプごとおよび関連アイテムごとの生産量を求め、前記生産量をデータベース（１４）に格納する
ようにさらに動作可能である管理システム。
【請求項１９】
前記識別された製品タイプデータおよび前記識別されたアイテムデータのいずれかが、前記対応する関連製品タイプ識別情報および関連アイテム識別情報と整合しない場合に、前記制御ユニットが、対応する識別エラー情報を出し、前記出された識別エラー情報を前記データベースに格納するように動作可能である請求項１８に記載の管理システム。
【請求項２０】
前記撮像ユニットが、前記アイテムの見かけ上の輪郭内にある管理領域に制限されたデジタル画像を取得するように動作可能である請求項１８または１９に記載の管理システム。
【請求項２１】
前記識別された製品タイプデータと前記識別されたアイテムデータとに対応するデータを含む符号化された追跡データを、前記生産ラインで前記アイテムに含めるように動作可能な符号化ユニット
をさらに備える請求項１８ないし２０のいずれかに記載の管理システム。
【請求項２２】
前記符号化された追跡データが、前記符号化された識別データをさらに含む請求項２１に記載の管理システム。
【請求項２３】
前記符号化された追跡データが、生産日、ライン識別、および製造者識別のうちの少なくとも１つに対応するデータをさらに含む請求項２１または２２に記載の管理システム。
【請求項２４】
生産日、ライン識別、および製造者識別のうちの少なくとも１つに対応するデータを含む符号化された追跡データを、前記生産ラインで前記アイテムに含めるように動作可能な符号化ユニット
をさらに備える請求項１８ないし２０のいずれかに記載の管理システム。
【請求項２５】
前記符号化された追跡データが、前記符号化された識別データをさらに含む請求項２２に記載の管理システム。
【請求項２６】
符号化された追跡データが前記アイテム上に備わり、生産日、ライン識別、および製造者識別のうちの少なくとも１つに対応するデータを含む請求項１８ないし２０のいずれかに記載の管理システム。
【請求項２７】
前記アイテムに含まれる前記符号化された追跡データを読み出し、復号して、対応する追跡情報を得、前記得られた追跡情報を前記制御ユニットに送信するように動作可能な第２の読取部
をさらに備え、前記制御ユニットが、前記送信された追跡情報を受信して前記データベースに格納するように動作可能である請求項２３ないし２６のいずれかに記載の管理システム。
【請求項２８】
前記符号化ユニットが、前記符号化された追跡データを含むデータマトリクスを前記アイテムに印刷するように動作可能である請求項２１ないし２７のいずれかに記載の管理システム。
【請求項２９】
各製品タイプおよび各関連アイテムと、前記生産日、ライン識別、および製造者識別のうちの少なくとも１つと、に対応する生産量を示すファイルレポートを、前記製品タイプごとおよび関連アイテムごとの生産量と、前記データベースに格納された前記追跡情報とに基づいて作成するように前記制御ユニットが動作可能である請求項２３ないし２８のいずれかに記載の管理システム。
【請求項３０】
前記制御ユニットが、前記第２の読取部による前記符号化された追跡データの可読性を確認するように動作可能であり、読み取りエラーが検出された場合に、エラーメッセージを出して前記ファイルレポートに含めるように動作可能である請求項２７に記載の管理システム。
【請求項３１】
前記アイテムが、材料ベースのセキュリティ要素をさらに備え、前記管理システムが、前記材料ベースのセキュリティ要素を検出して認証し、対応する認証結果情報を前記制御ユニットに送信するように動作可能な認証手段を備える請求項１８ないし３０のいずれかに記載の管理システム。
【請求項３２】
材料ベースのセキュリティ要素を前記アイテムに付けるように動作可能な手段を備え、前記符号化された追跡データが、前記材料ベースのセキュリティ要素によって担持される請求項２１ないし３１のいずれかに記載の管理システム。
【請求項３３】
前記材料ベースのセキュリティ要素を検出して認証し、対応する認証結果情報を前記制御ユニットに送信するように動作可能な認証手段をさらに備える請求項３２に記載の管理システム。
【請求項３４】
前記認証手段が前記材料ベースのセキュリティ要素を認証できなかったことを前記認証結果情報が示す場合に、前記制御ユニットが、認証エラーメッセージを出して前記データベースに格納するように動作可能である請求項３１または３３に記載の管理システム。